(57)【要約】【課題】  リード線を確実に分離して取り出すことができるリード線用保持具を提供する。【解決手段】  ２つの端部と、２つの端部の間に設けられたアクセサリ（１２）とを有するリード線（１０）の２つの端部の一方（１１）を案内保持するリード線端案内部（２）と、リード線（１０）のアクセサリ（１２）を案内保持するアクセサリ案内部（３）と、アクセサリ案内部（３）を固定している支持部（４）とを備えている。【選択図】      図１
2006067682.tif 000002
【特許請求の範囲】
【請求項１】
２つの端部と、前記２つの端部の間に設けられたアクセサリとを有するリード線の前記２つの端部の一方を案内保持するリード線端案内部と、
前記リード線のアクセサリを案内保持するアクセサリ案内部と、
前記アクセサリ案内部を固定している支持部とを備えていることを特徴とするリード線用保持具。
【請求項２】
前記アクセサリ案内部は、移動可能に前記支持部に固定されていることを特徴とする請求項１に記載のリード線用保持具。
【発明の詳細な説明】
【技術分野】
【０００１】
本発明は、リード線用保持具に関し、とりわけ、リード線を自動的に組み付けるためにリード線を供給する装置として利用可能なリード線用保持具に関する。
【背景技術】
【０００２】
従来のリード線用保持具では、複数のリード線の一端部を溝状のリード線端案内部で案内保持することにより、複数のリード線をリード線端案内部に沿って首吊り状態で並べて保持している。それにより、このリード線端案内部の溝の開放端部から、複数のリード線を必要に応じて一つずつ取り出すことができる。
【０００３】
このリード線用保持具を用いると、リード線が短い場合や直線状であれば問題ないが、リード線が長い場合や曲がったクセがついている場合には、図３に示すように、リード線１０がリード線端案内部２の隣りの列に保持されているリード線１０に絡まったり、また、図４に示すように、リード線１０がリード線端案内部２の同じ列に保持されているリード線１０に絡まったりしてしまうので、１つのリード線を取り出す時に他のリード線を落下させて作業効率が悪化するという問題があった。
【発明の開示】
【発明が解決しようとする課題】
【０００４】
上記問題点に鑑みて、本発明の目的は、リード線を確実に分離して取り出すことができるリード線用保持具を提供することである。
【課題を解決するための手段】
【０００５】
本発明の請求項１に係るリード線用保持具によれば、２つの端部と、２つの端部の間に設けられたアクセサリとを有するリード線の２つの端部の一方を案内保持するリード線端案内部と、リード線のアクセサリを案内保持するアクセサリ案内部と、アクセサリ案内部を固定している支持部とを備えている。これにより、リード線端案内部でリード線の一端部を、また、アクセサリ案内部でリード線の中間部を保持してリード線を伸ばすことにより、リード線を他のリード線と絡ませずに保持することができる。
【０００６】
請求項２に係るリード線用保持具によれば、アクセサリ案内部は、移動可能に支持部に固定されている。これにより、リード線に取り付けられるアクセサリの位置やリード線の長さが、作業ごとに異なる場合であっても、アクセサリ案内部でアクセサリを保持するようにアクセサリ案内部の高さを調整することができる。
【発明を実施するための最良の形態】
【０００７】
以下、本発明の実施例について添付図面を参照しつつ詳細に説明する。図１は本発明のリード線用保持具の正面図であり、図２は本発明のリード線用保持具の側面図である。図１及び２に示すように、リード線用保持具１は、リード線１０の一端部１１を案内保持するリード線端案内部２と、リード線１０のアクセサリ１２を案内保持するアクセサリ案内部３と、アクセサリ案内部３を固定している支持部４とを備えている。なお、本発明のリード線用保持具１が保持するリード線１０は、２つの端部と、２つの端部の間に設けられたアクセサリ１２とを有している。
【０００８】
リード線端案内部２は、リード線１０の一端部１１を保持する溝形状を有している板状部材であり、垂直に延びている支持部４に固定されている。図２に示すように、リード線端案内部２の一端、すなわち、図２における右端が開放しており、リード線端案内部２の他端、すなわち、図２における左端が閉鎖されている。このように、リード線端案内部２に保持された複数のリード線１０は、図２における右端から取り出される。
【０００９】
好適には、リード線端案内部２の断面形状は、図１に示すように、リード線１０の一端部１１の断面形状に対応している。これにより、案内部２に沿ってリード線１０を移動させ易くなる。
【００１０】
アクセサリ案内部３は、リード線１０のアクセサリ１２を包囲する溝形状を有している板状部材であり、支持部４に固定されている。図２に示すように、少なくともアクセサリ案内部３の一端、すなわち、図２における右端が開放している。このアクセサリ案内部３の高さは、リード線１０のアクセサリ１２の高さ位置に対応している。このように、アクセサリ案内部３でリード線１０のアクセサリ１２を保持している。なお、本実施例では、さらなるアクセリ案内部３´がアクセサリ１２の下に配置されている。
【００１１】
これにより、リード線端案内部２でリード線１０の一端部１１を保持しかつアクセサリ案内部３でリード線１０の中間部を保持してリード線１０を伸ばすことにより、リード線１０を垂らして他のリード線１０と絡ませずに保持することができる。
【００１２】
好適には、アクセサリ案内部３は、移動可能に支持部４にねじ３１で固定されている。これにより、リード線１０に取り付けられるアクセサリ１２の位置やリード線１０の長さが、作業ごとに異なる場合であっても、アクセサリ案内部３でアクセサリ１２を案内保持しうるように、アクセサリ案内部３の高さをアクセサリ１２の高さに合わせるように調整することができる。
【００１３】
次に本発明のリード線用保持具１を用いた作動について説明する。最初に、リード線１０の一端部１１をリード線端案内部２に掛けて、複数のリード線１０を首吊り状態で保持する。次に、アクセサリ案内部３を、リード線１０のアクセサリ１２の高さに移動させて固定する。次に、図１における右端において保持したリード線１０をロボット（図示せず）で取り出す。次に、リード線１０を図１における右端側に押して位置決めし、次に取り出し易くする。このリード線１０の取り出しと位置決めを交互に繰り返す。
【００１４】
以上のように、リード線１０を保持する時、リード線１０を他のリード線１０と絡ませずに保持することができ、迅速にリード線１０を取り出すことができる。
【００１５】
なお、本実施例では、アクセサリ案内部３、３´の数を２つとして説明したが、リード線１０のアクサセリ１２の数に応じてアクセサリ案内部３、３´の数を２つ以上の任意の数としうる。
【図面の簡単な説明】
【００１６】
【図１】本発明のリード線用保持具の正面図である。
【図２】本発明のリード線用保持具の側面図である。
【図３】従来のリード線用保持具の部分断面正面図である。
【図４】従来のリード線用保持具の部分断面側面図である。
【符号の説明】
【００１７】
１    リード線用保持具
２    リード線端案内部
３    アクセサリ案内部
４    支持部
１０    リード線
１１    リード線の２つの端部の一方
１２    リード線のアクセサリ
【図１】
2006067682.tif 000003
【図２】
2006067682.tif 000004
【図３】
2006067682.tif 000005
【図４】
2006067682.tif 000006